(57)【要約】【目的】  捩れが生じにくく直線状態保持性に優れた測定テープ及びこれを備えた巻尺が求められている。【解決手段】  平板状テープ２と、平板状テープ２上に並設された２本の樋状テープ３と、からなる測定テープ１であって、２本の樋状テープ３のうちの一方の樋状テープ３の幅方向右側の端縁と平板状テープ２の幅方向右側の端縁とが重なり合い密着しており、２本の樋状テープ３のうちの他方の樋状テープ３の幅方向左側の端縁と平板状テープ２の幅方向左側の端縁とが重なり合い密着しており、２本の樋状テープ３は、互いに離間して配置されており、２本の樋状テープ３のうちの少なくとも一方に測定用目盛り４が表示されていることを特徴とする測定テープ１を提供する。また、上記の測定テープ１を備えた巻尺を提供する。【選択図】  図１
2018080971.tif 000002
【特許請求の範囲】
【請求項１】
平板状テープと、該平板状テープ上に並設された２本の樋状テープと、からなる測定テープであって、
上記２本の樋状テープのうちの一方の樋状テープの幅方向右側の端縁と上記平板状テープの幅方向右側の端縁とが重なり合い密着しており、
上記２本の樋状テープのうちの他方の樋状テープの幅方向左側の端縁と上記平板状テープの幅方向左側の端縁とが重なり合い密着しており、
上記２本の樋状テープは、互いに離間して配置されており、
上記２本の樋状テープのうちの少なくとも一方に測定用目盛りが表示されていることを特徴とする、測定テープ。
【請求項２】
該測定テープの先端部に上記平板状テープの幅方向に沿って設けられた回転軸を中心として回動可能に軸支されたフック部材を更に備え、
上記フック部材は、平板状の形状に形成された第１のセグメントと、平板状の形状に形成されかつ第１のセグメントの一辺縁に直角に接続された第２のセグメントとからなり、
上記フック部材の引掛測定用の第１の配向と、第１の配向から９０°だけ回動させた後の突当測定用の第２の配向との間で、測定上のゼロ点調整が自動的になされるように、上記回転軸は、第２のセグメントの厚さとほぼ同じ寸法だけ第１のセグメントから離間して第２のセグメントに結合されていることを特徴とする請求項１に記載の測定テープ。
【請求項３】
上記フック部材が突当測定用の第２の配向にあるときに上記平板状テープの裏側に面一の面が形成されるように、第１のセグメントと同じ寸法の窪みが上記平板状テープに形成されていることを特徴とする請求項２に記載の測定テープ。
【請求項４】
上記平板状テープと上記フック部材のうちの少なくとも一方にマグネットが埋め込まれていることを特徴とする請求項２又は請求項３に記載の測定テープ。
【請求項５】
請求項１〜４のいずれかに記載の測定テープを備えた巻尺。
【発明の詳細な説明】
【技術分野】
【０００１】
本発明は、測定テープ及びこれを備えた巻尺に関し、詳しくは、高い靱性を有するとともに直線状態保持性に優れた測定テープ及びこの測定テープを備えた巻尺に関する。
【背景技術】
【０００２】
従来の巻尺ケースに収納された目盛りの付いた樋状テープは主に、建築現場や手作業による製作現場・工場などでは対象物の測定や寸法出し、一般家庭・オフィスではレイアウト変更や家具や家電・カーテンなどの設置のために計測したり寸法出しなどで使用されている。また、平板状の巻尺測定テープは、引っ張った状態での計測に用いられる。
【０００３】
巻尺ケースから引き出された測定テープは、巻尺ケースの回転ドラムの内側に設けられた巻取りばねの弾性力により回転ドラムに巻き取られる。また、従来の巻尺ケースには一般に、引き出された測定テープを停止させるための制動機構（ブレーキ）が設けられている。
【先行技術文献】
【特許文献】
【０００４】
【特許文献１】特表２００５−５３９２３５号公報
【発明の概要】
【発明が解決しようとする課題】
【０００５】
従来品の測定テープ等には、頻繁に折り曲げられても破壊されない程の高い靱性と、直線状態保持性とを兼ね備えるものがなかった。また、従来の巻尺に用いられている測定テープで樋状の断面形状のものは、測定テープがある程度引き出された状態において幅方向に湾曲しているので測定テープが捩れることがあるため、使用者が線を引くときに測定テープを測定対象物（被測定物）に密着させる必要があり、或いは測定用目盛りを読み取りにくいことがある。また平板状の巻尺測定テープは、直線状態保持性が無いため引っ張った状態で計測する必要がある。
【課題を解決するための手段】
【０００６】
新規の測定テープであって、捩れが生じにくく高い靱性を有するとともに直線状態保持性にも優れている測定テープ、及びこの新規の測定テープを備えた巻尺を提示する。
【０００７】
一実施例においては、平板状テープと、平板状テープ上に並設された２本の樋状テープと、からなる測定テープであって、２本の樋状テープのうちの一方の樋状テープの幅方向右側の端縁と平板状テープの幅方向右側の端縁とが重なり合い密着しており、２本の樋状テープのうちの他方の樋状テープの幅方向左側の端縁と平板状テープの幅方向左側の端縁とが重なり合い密着しており、２本の樋状テープは、互いに離間して配置されており、２本の樋状テープのうちの少なくとも一方に測定用目盛りが表示されていることを特徴とする測定テープを提供する。
【０００８】
一実施例においては、測定テープの先端部に平板状テープの幅方向に沿って設けられた回転軸を中心として回動可能に軸支されたフック部材を更に備え、フック部材は、平板状の形状に形成された第１のセグメントと、平板状の形状に形成されかつ第１のセグメントの一辺縁に直角に接続された第２のセグメントとからなり、上記フック部材の引掛測定用の第１の配向と、第１の配向から９０°だけ回動させた後の突当測定用の第２の配向との間で、測定上のゼロ点調整が自動的になされるように、上記回転軸は、第２のセグメントの厚さとほぼ同じ寸法だけ第１のセグメントから離間して第２のセグメントに結合されていることを特徴とする。
【０００９】
他の実施例においては、フック部材が突当測定用の第２の配向にあるときに平板状テープの裏側に面一の面が形成されるように、第１のセグメントと同じ寸法の窪みが平板状テープに形成されていることを特徴とする。
【００１０】
更に他の実施例においては、平板状テープと上記フック部材のうちの少なくとも一方にマグネットが埋め込まれていることを特徴とする。
【００１１】
また、上述した種々の測定テープを備えた巻尺を提供する。
【発明の効果】
【００１２】
本発明の測定テープの構造は、頻繁に折り曲げられても破壊されない程の高い靱性と、直線状態保持性を生じさせる。また、本発明の測定テープは、底面が平面となっているため測定対象物（被測定物）に密着し易く、ひいては正確な測定をすることができる。
【図面の簡単な説明】
【００１３】
【図１】本発明の測定テープを示す斜視図。
【図２】本発明の種々の測定テープの断面形状を示す図。
【図３】様々に変化する曲率を有する樋状テープの形状を示す図。
【図４】メッキ又は樹脂の被覆により溶着された樋状テープと平板状テープを示す図。
【図５】巻かれた状態の測定テープを示す斜視図。
【図６】一実施例におけるフック部材を有する測定テープを示す斜視図。
【図７】測定テープの使用状態を示す図（（ａ）は引掛測定を示す）。
【図８】本発明の測定テープを備えた巻尺による突当測定を示す図。
【図９】他の実施例におけるフック部材を有する測定テープを示す斜視図。
【図１０】図９に示される測定テープの断面図と、その応用例の断面図。
【図１１】本発明の測定テープに適した巻尺ケースを示す図。
【発明を実施するための形態】
【００１４】
本発明の測定テープ及びこれを備えた巻尺について添付の図面を参照しつつ説明する。
【００１５】
図１に示される本発明の測定テープ１は、平板状テープ２の上面に２本の樋状テープ３が並設されてなる。２本の樋状テープ３のうちの一方の樋状テープ３の幅方向右側の端縁３ａと、平板状テープ２の幅方向右側の端縁２ａとが重なり合い密着しており、他方の樋状テープ３の幅方向左側の端縁３ｂと、平板状テープ２の幅方向左側の端縁２ｂとが重ね合わされている。２本の樋状テープ３は互いに離間して配置されており、これらの樋状テープ３の間には適度な隙間１ａがある。
【００１６】
測定テープ１を構成する２本の樋状テープ３のうちの少なくとも一方に、測定用目盛り４が表示されている。すなわち、本発明の測定テープ１は、平板状テープの左右の端縁から立ち上がるように形成された樋状テープ３に測定用目盛りが付されていることにより、真横から測定テープ１を見ても目盛りを読み取ることができるという利点がある。
【００１７】
図２は、図１中の矢印Ａ方向に見た場合の測定テープ１の断面形状を示す。図２（ａ）〜図２（ｄ）に示される種々の実施例においては、測定テープ２の断面形状が樋状テープ３の曲率がほぼ真円の曲率となるように形成されているが、この形状に限定しない。
【００１８】
図２（ａ）に示される実施例においては、一方の樋状テープ３の幅方向右側の端縁３ａと平板状テープ２の幅方向右側の端縁２ａとが重なり合い密着している。これに加え、他方の樋状テープ３の幅方向左側の端縁３ｂと平板状テープ２の幅方向左側の端縁２ｂとが重なり合い密着している。上下のテープを一体成型することにより、平板状テープ２となる部分と樋状テープ３とになる部分が同時に形成されている。
【００１９】
図２（ｂ）に示される実施例においては、１枚の帯体からなる測定テープ１の両側の部分が折り曲げられており、折り曲げられた両端の部分を２本の樋状テープ３とし、両端の間に位置する平坦な部分を平板状テープ２としている。
【００２０】
図２（ｃ）に示される実施例においても、一方の樋状テープ３の幅方向右側の端縁３ａと平板状テープ２の幅方向右側の端縁２ａとが重なり合い密着している。これに加え、他方の樋状テープ３の幅方向左側の端縁３ｂと平板状テープ２の幅方向左側の端縁２ｂとが重なり合い密着している。
【００２１】
図２（ｄ）に示される実施例においては、平板状テープ２の幅方向両側の端縁付近に、樋状テープ３が重ね合わされている。詳しくは、平板状テープ２の幅方向右側の端縁２ａの近傍に一方の樋状テープ３の幅方向右側の端縁３ａが重なり合い密着しているとともに、平板状テープ２の幅方向左側の端縁２ｂの近傍に他方の樋状テープ３の幅方向左側の端縁３ｂが重なり合い密着している。本願においては、図２（ｄ）に示されるように端縁どうしの重なりに若干のズレがある場合においても、平板状テープ２の端縁と樋状テープ３の端縁とが重なり合い密着しているものとする。
【００２２】
図３（ａ）〜図３（ｃ）も、図１中の矢印Ａ方向に見たときの種々の樋状テープ３の断面形状を示しているが、各測定テープ２の樋状テープ３の曲率が互いに異なっている。
【００２３】
図３（ａ）に示される実施例においては、樋状テープ３の曲率が、平板状テープ２との重設部５から自由端部３ｃへ向かって徐々に大きくなるように形成されている。
【００２４】
図３（ｂ）に示される実施例においては、樋状テープ３が平板状テープ２との重設部５からすぐに立ち上がっている。
【００２５】
図３（ｃ）に示される実施例においては、樋状テープ３が概ねＶ字形の断面形状を有するように形成されている。この場合には、樋状テープ３の曲率が様々に変化している。
【００２６】
図４に示される更に他の実施例においては、測定テープ１の平板状テープ２と樋状テープ３とが直接的には密着していないが、メッキ又は樹脂の被覆を介して平板状テープ２と樋状テープ３とが結合されている。
【００２７】
測定テープ１は、頻繁に折り曲げて使用されることを考慮すれば、折り曲げに強い（靱性に優れた）材料から形成されていることが望ましい。一実施例においては、測定テープ１の平板状テープ２及び樋状テープ３は、弾性樹脂から形成されている。他の実施例においては、平板状テープ２及び樋状テープ３は、ガラス繊維やアラミド繊維等で織られた繊維織物に樹脂を浸透させ固めて形成されている場合もあれば、ばね鋼やステンレスばね鋼等の金属から形成されている場合もある。測定テープ１の樋状テープ３の素材については、用途等を考慮して、硬質でばねの特性を持った復元弾性を有する素材を選択するとよい。
【００２８】
また、測定テープ１の表面を保護するために、測定テープ１に、ポリエチレン、ポリプロピレン、ポリオレフィン、ポリスチレン、軟質塩化ビニル、軟質アクリル樹脂、ナイロン樹脂などの樹脂で被覆してもよい。
【００２９】
平板状テープ２に樋状テープ３の端縁を重ね密着する方法として素材が金属では、精密な各種溶接があり、平板状テープ２に樋状テープ３をメッキ若しくは樹脂で被覆し端縁も融合する、端縁を縫合する、押出成形による一体構造にする、などの方法が挙げられる。素材が樹脂では素材の性質により接着面を溶着・接着、端縁を縫合する、押出成形による一体構造、などの方法が挙げられる。
【００３０】
平板状テープ２上に設けられた並行する２本の樋状テープ３の隙間の大きさは、平板状テープ２の幅などを考慮して、最適な大きさの隙間にするとよい。
【００３１】
図５は、本発明の測定テープ１を備える巻尺を示す。巻尺は、自動巻取式の場合もあれば手動巻取式の場合もある。一実施例として図５（ａ）に示されるように、２本の樋状テープ３によって直線状態保持性が保持されている状態の測定テープ１は、巻取りばね（図示せず）の弾性エネルギにより巻き回される。そして、巻回状態（つまり巻かれた状態）が解除されると、樋状テープ３の復元力によって、測定テープ１が直状態（いわゆる「立ちの良い状態」）となる。
【００３２】
巻尺ケース１５（図１１を参照されたい）内へ巻き回される前の測定テープ１において２本の樋状テープ３間に適度な隙間１ａがあることにより、測定テープ１が巻尺ケース１５内へ巻き回されて樋状テープ３が平板状テープ２上に重ね合わされたときにも、２本の樋状テープ３の端縁どうしが接触してしまうことがない。図５（ａ）において二点鎖線で囲まれた部分を図５（ｂ）において拡大して示す。
【００３３】
図６に示される実施例においては、測定テープ１の先端にフック部材６が設けられている。フック部材６は、平板状テープ２上に取り付けられた取付部６ａと、平板状テープ２の上方に延びている取付部６ａの延長部６ｂと嵌合しかつ上下動できるように構成された係止片６ｃと、嵌合部６ｄとからなる。
【００３４】
図６（ａ）は、フック部材６の延長部６ｂに嵌合している係止片６ｃの嵌合部６ｄ（図６（ｃ）を参照されたい）が延長部６ｂの下端方向へ移動して、フック部材６が下方へ突出している状態を示す。
【００３５】
図６（ｂ）は、延長部６ｂに嵌合している係止片６ｃの嵌合部６ｄが延長部６ｂの上端方向へ移動して、係止片６ｃが平板状テープ２の裏面２ｃよりも上方に位置している状態を示す。
【００３６】
図６（ｃ）は、係止片６ｃの嵌合部６ｄを詳細に示している。
【００３７】
図７は、一実施例における測定テープ１の使用状態を示す。図７（ａ）においては、フック部材６の延長部６ｂに係合している係止片６ｃが平板状テープ２の下方へ突出している。この状態においては、被測定物７の端縁７ａに係止片６ｃを引っ掛けて、端縁７ａからの寸法を測定する際に被測定物７の被測定面７ｂ上に測定テープ１を密着させることができるので、使用者にとって直定規を使うのと同じくらいに直線を引き易い。
【００３８】
図７（ｂ）においては、フック部材６の延長部６ｂに嵌合している係止片６ｃが平板状テープ２の裏面２ｃよりも上方に位置している。この状態においては、被測定物７の被測定面７ｂ上に測定テープ１を密着させることができるので、使用者にとってやはり直定規を使うのと同じくらいに直線を引き易く、測定用目盛り４を読み取り易い。
【００３９】
以上のように、本発明の測定テープ１は、係止片６ｃが上下動できることにより、被測定物７の端縁７ａからの寸法測定及び被測定面７ｂ上の寸法測定や線引きを正確に行うことができるという利点がある。
【００４０】
図８は、本発明の測定テープ１を備える巻尺を示す。巻尺の使用者は、フック部材６を被測定物８に突き当てて、該被測定物８からの空間距離を測定する。本発明の測定テープ１の構造は、平板状テープ２の上面に２本の樋状テープ３が同方向に並設されてなるので、距離を測定する際に平板状テープ２が重力を受けた場合にも、伸長した測定テープ１が捩れることなく撓むことも少ない。
【００４１】
測定におけるゼロ点調整に関して説明すると、平板状テープ２の長手方向に係止片６ｃの厚さ（大抵は約１ｍｍ）に等しい移動量だけフック部材６が進退移動可能となるように、フック部材６の取付部６ａを装着すれば、被測定物７の端縁７ａに係止片６ｃを引っ掛けて引掛測定を行う場合（図７（ａ）を参照）と、係止片６ｃを被測定物８に突き当てて被測定物８からの距離を測定する突当測定を行う場合（図８を参照）との間で、フック部材６が進退移動する。この進退移動により、係止片６ｃのゼロ点調整がなされるので、正確な測定を行うことができる。
【００４２】
一実施例においては、本発明の測定テープ１を備える巻尺において、測定テープ１を巻き回す際に生じ得る樋状テープ３の幅方向に湾曲しようとするそりは巻き込むと平らになることにより密着して巻き込める。
【００４３】
図９は、本発明の他の実施例におけるフック部材９（及びフック部材１３）を示す。図９（ａ）に示されるように、フック部材９は、平板状の形状に形成された第１のセグメント９ａと、平板状の形状に形成されかつ第１のセグメント９ａの一辺縁に直角に接続された第２のセグメント９ｂとからなる。図９（ｂ）に示されるように、フック部材９は、測定テープ１の先端部に平板状テープ２の幅方向と平行に延在する回転軸１０を中心として回動可能となるように軸支されている。
【００４４】
図１０（ａ）は、図９（ａ）に示される中心線Ｉ−Ｉに沿って切り出された断面図であり、図１０（ｂ）は、図９（ｂ）に示される中心線ＩＩ−ＩＩに沿って切り出された断面図であり、図１０（ｃ），（ｄ）はそれぞれ、図１０（ａ），（ｂ）に示される実施例にマグネット１４が付加された実施例を示す図である。図１０（ａ）に示されるように、第１のセグメント９ａの先端９ｃを下方向へ向けていることにより、フック部材９が被測定物１１について引掛測定を行うことができる態様となっている。また、図１０（ａ）において矢印Ｂで示される方向へ回転軸１０を中心としてフック部材９を９０°だけ回動させて、図１０（ｂ）に示されるように第２のセグメント９ｂの後端９ｄを上方へ向けることにより、被測定物１１について突当測定を行うことができる態様となる。
【００４５】
図１０（ａ）及び図１０（ｂ）に示される実施例においては、測定テープ１の平板状テープ２にマグネット１２が埋め込まれており、このマグネット１２の磁力を利用して、例えば金属製のフック部材９の第１、第２のセグメント９ａ，９ｂを固定することができる。一実施例においては、フック部材９は、優れた強度を有するＳＵＳ４００系（フェライト系やマルテンサイト系）ステンレスから形成されている場合もある。
【００４６】
図１０（ｃ）及び図１０（ｄ）に示される実施例においても、フック部材１３は、平板状の形状に形成された第１のセグメント１３ａと、平板状の形状に形成されかつ第１のセグメント１３ａの一辺縁に直角に接続された第２のセグメント１３ｂとからなるが、フック部材１３の第１のセグメント１３ａにもマグネット１４が埋め込まれているため、回転軸１０を中心としてフック部材１３を回動させて配向を変えるときに、平板状テープ２に埋め込まれた磁石とのレスポンス（応答性）が高められている。また、フック部材１３にのみマグネット１４が埋め込まれている場合には、例えば、金属製の被測定物１１とフック部材１３とが接触することを支援するようにマグネット１４の磁力が働く。
【００４７】
図１１は、本発明の測定テープ１に適した巻尺ケース１５を示す。図１１（ａ）に示されるように、巻尺ケース１５の底面後側に突出部１５ｂが形成されており、この突出部１５ｂに測定テープ１の引出口１５ａが開口している。また、測定テープｌ１が繰り出される（又は巻かれる）方向を案内するための測定テープガイド１５ｃが、２本の樋状テープ３の間の隙間１ａへ延びており、更には、測定テープガイド１５ｃの先端の幅広部１５ｄが、平面状テープ２の幅方向に延びている。図１１（ａ）に示される巻尺を正面から見たときの測定テープ１の断面が、図１１（ｂ）に示されている。また、図１１（ｂ）の二点鎖線で囲まれた部分が、図１１（ｃ）において拡大して示されている。
【００４８】
一実施例においては、巻尺ケース１５の測定テープガイド１５ｃが、樋状テープ３と接触したときに測定テープ１を静止させるのに充分な高い静止摩擦力を生じさせることができる合成樹脂等の材料から形成されていれば、従来品の巻尺に必須であった制動機構（ブレーキ）を不要とすることができる。
【００４９】
以上のように、本発明の測定テープの構造は、底面が平坦な形状に形成されている。従って、使用者が本発明の測定テープを被測定物上に置いたときに、本発明の測定テープと被測定物との間に隙間が生じることがなく、精度の高い測定をすることができる。また、本発明の測定テープを備えた巻尺は、言わば「収納できる物差し」の感覚で、特には短距離と中距離の測定において、巻尺ケースを持ち手として軽快に操作することができるものである。
【符号の説明】
【００５０】
１…測定テープ
１ａ…隙間
２…平板状テープ
２ａ…右側端縁
２ｂ…左側端縁
２ｃ…裏面２
３…樋状テープ
３ａ…右側端縁
３ｂ…左側端縁
３ｃ…自由端部
４…測定用目盛り
５…重設部
６…フック部材
６ａ…取付部
６ｂ…延長部
６ｃ…係止片
６ｄ…嵌合部
７…被測定物
７ａ…端縁
７ｂ…被測定面
８…被測定物
９…フック部材
９ａ…（フック部材９の）第１のセグメント
９ｂ…（フック部材９の）第２のセグメント
９ｃ…フック部材の先端
９ｄ…フック部材の後端
１０…回転軸
１１…被測定物
１２…マグネット
１３…フック部材
１３ａ…（フック部材１３の）第１のセグメント
１３ｂ…（フック部材１３の）第２のセグメント
１３ｃ…フック部材の先端
１３ｄ…フック部材の後端
１４…マグネット
１５…巻尺ケース
１５ａ…測定テープの引出口
１５ｂ…下方突出部
１５ｃ…測定テープガイド
１５ｄ…幅広部
【図１】
2018080971.tif 000003
【図２】
2018080971.tif 000004
【図３】
2018080971.tif 000005
【図４】
2018080971.tif 000006
【図５】
2018080971.tif 000007
【図６】
2018080971.tif 000008
【図７】
2018080971.tif 000009
【図８】
2018080971.tif 000010
【図９】
2018080971.tif 000011
【図１０】
2018080971.tif 000012
【図１１】
2018080971.tif 000013